(57)【要約】【課題】  従来、トイレットペーパーは、主にトイレでの使用を目的とされ、さまざまな場所で持ち運んで使用するには不便であった。そのため、見た目にも悪くなく、気軽にトイレットペーパーを持ち運んだり、その他の場所で使用しやすくするための袋やホルダーなどはなかった。【解決手段】従来の２．トイレットペーパーが入りそうな大きさの手提げ袋や１．巾着袋などに、常時３．トイレットペーパーの先端だけが袋の外に出るように、袋の一部に４．取りだし口を設け、そこから３．トイレットペーパーの先端を引き出せるようにして課題を解決します。【選択図】    図１
2005279142.tif 000002
【特許請求の範囲】
【請求項１】
トイレットペーパーが入るくらいの大きさの手提げ袋とか巾着袋などに、トイレットペーパーの先端だけを徐々に取り出せるように、袋の一部に切りこみもしくは取り出し口を設けた袋。
【発明の詳細な説明】
【技術分野】
【０００１】
本発明は、トイレットペーパーをトイレ以外の場所でも使用できるよう、かさばらず、見た目にトイレットペーパーだとわかりにくいように持ち運べたり、フックなどに簡単に引っ掛けたりすることができる袋で、トイレットペーパーの先端から徐々にトイレットペーパーを取り出せるように取りだし口を設けた袋に関するものである。
【背景技術】
【０００２】
従来、トイレットペーパーはトイレで使用することが主要目的とされ、トイレでの設置用としてはさまざまなトイレットペーパー用ホルダーがあった。また、部屋などでもトイレットペーパーを簡単に使えるように、硬い円柱の容器の中にトイレットペーパーを入れ、真中に穴の開いたフタからトイレットペーパーの先端を徐々に取り出し使用するという容器はあった。または、トイレットペーパー自体をそのまま持ち運び、使用するか普通の袋に入れて持ち運ぶという使い方もあった。
【発明の開示】
【発明が解決しようとする課題】
【０００３】
従来、トイレットペーパーは、主にトイレでの使用を目的とし、さまざまな場所で持ち運んで使用するための袋などはなく不便であった。
【０００４】
トイレなどの設置用のトイレットペーパーホルダーでは、壁などに固定して使用することが前提として考えられており、持ち運ぶ用途としては考えられておらず、重くてかさばり、固定していない状態でトイレットペーパーを少しずつ取り出して使用するには不便であった。さらに、それらを持ち運び使用するには無理があった。
部屋などでもトイレットペーパーを簡単に使えるように、ふたの真中に穴の開いた円柱形の容器では、部屋などに置いてトイレットペーパーを取り出すことが前提として考えられているため、容器の安定性を出すのに硬さと重さが必要で、気軽に持ち運ぶには不備があり不向きであった。
【０００５】
トイレットペーパーを手提げ袋や巾着袋などにいれて持ち運ぶことは、かさばらず、見た目にもトイレットペーパー全体が隠れるため可能だが、トイレットペーパーを使用しようとした場合、使用するたびに袋からトイレットペーパー本体を取り出すか、袋の中にあるトイレットペーパーの先端を探して引き出さなくてはならず、何回か出したり入れたりしている間にトイレットペーパーがボロボロになったり、両手を使ったりと出すのに時間と手間がかかり面倒であった。また、トイレットペーパー自体をそのままの状態で持ち運ぶと、見た目にも良くなくボロボロになりやすく不向きであった。
【０００６】
そのように従来のトイレットペーパーホルダーや巾着袋などでは、トイレットペーパー用に持ち運んで使用するという考えがなされておらず、気軽にトイレットペーパーを持ち運び使用するには解決すべき課題があった。
【課題を解決するための手段】
【０００７】
トイレットペーパーだとわかりにくいように持ち運ぶことができ、使用時には、簡単にトイレットペーパーの先端を引き出すことができるように課題を解決するには、トイレットペーパーが入るくらいの大きさの手提げ袋とか巾着袋などに、常時トイレットペーパーの先端が袋の外に出て、トイレットペーパーの先端だけを徐々に引き出すための切りこみ、もしくは取りだし口をそれらの袋の一部に設けることにより課題を解決します。
【０００８】
トイレットペーパーが入るくらいの大きさの手提げ袋もしくは巾着袋に切りこみもしくは取りだし口を設けることにより、持ち運ぶ時には普通の荷物の入った袋として、手にぶら提げて運ぶことができるのでかさばりにくく、なおかつ中に入れたトイレットペーパーは横につぶしても、トイレットペーパーの先端を引き出す上でさほど問題がないので、コンパクトにすることができます。また、つぶしたことによって厚みを薄くできるので、袋ごとカバンの中に入れてもかさばりにくく、トイレットペーパーが袋に入っているので、トイレットペーパーがボロボロになりにくく、ほころびやかすなどがカバンの中にちらばることもありません。
【０００９】
また、手提げ袋や巾着袋では手提げ部分や紐などがフックなどにかけるので、袋をかけたままの状態でトイレットペーパーの先端を引き出し使用することができます。
【００１０】
本発明の手提げ袋や巾着袋とは、トイレットペーパーが入るくらいの大きさで変形可能な袋を指しており、材質や細かな形などは特定しない。また、取りだし口の位置は図１のように下側でも、図２のように横側でも特定しない。
【発明の効果】
【００１１】
以上本発明により、以下の効果を得ることができる。
【００１２】
本発明品を使うことにより、トイレットペーパーを手軽に見た目にもトイレットペーパーだとわかりにくいように持ち運ぶことができます。なおかつ、簡単にトイレットペーパーの先端を引き出すことができるので、もっと身近にトイレットペーパーを活用することができるようになります。
【発明を実施するための最良の形態】
【００１３】
本発明にかかわる、トイレットペーパーの先端を簡単に取り出せ、なおかつ見た目にもトイレットペーパーだとわかりにくく持ち運ぶことができる袋の一例を、以下に図面に基づいて詳細に説明します。
【００１４】
まず、２．トイレットペーパーの内側にある３．トイレットペーパーの先端をとりだすため、中心に厚紙等でできた芯があるものに関しては芯を抜いてから、図１のように本発明品の４．取りだし口が設けてある１．巾着袋の中に入れます。その後１．巾着袋の４．取りだし口から２．トイレットペーパーの内側にある３．トイレットペーパーの先端を引き出します。トイレットペーパー使用時には４．取りだし口から出ている３．トイレットペーパーの先端を必要な長さだけ引き出し、４．取り出し口付近で切ることにより、２．トイレットペーパーを切った後の見た目にも悪くなく、次回の２．トイレットペーパー使用時にも簡単に３．トイレットペーパーの先端を引き出すことができます。２．トイレットペーパーの芯を抜かずに２．トイレットペーパーの外側にある先端を４．取りだし口から取り出しても構いません。
【００１５】
本発明品の１．巾着袋は、図４のように５．巾着の紐を６．フックにかけた状態で、３．トイレットペーパーの先端を引き出すことも可能で、見た目にも悪くないのでベビーカーや車の中、お部屋の壁などに引っ掛けて使用することも可能です。
【００１６】
また、１．巾着袋と２．トイレットペーパーは共に柔らかいので、図３のように２．トイレットペーパーの真中の部分をつぶして、全体の厚みを薄くしてカバン等に入れて使用することも可能です。
【図面の簡単な説明】
【００１７】
【図１】本発明の巾着袋のトイレットペーパーをセットした時の正面図である。
【図２】本発明の巾着袋の取りだし口が横についた正面図である。
【図３】本発明のトイレットペーパーの芯をつぶした状態の横から見た図である。
【図４】本発明のフックに引っ掛けた状態の横から見た図である。
【図５】本発明の袋の展開図である。
【符号の説明】
【００１８】
１    巾着袋
２    トイレットペーパー
３    トイレットペーパーの先端
４    引き出し口
５    巾着の紐
６    フック
【図１】
2005279142.tif 000003
【図２】
2005279142.tif 000004
【図３】
2005279142.tif 000005
【図４】
2005279142.tif 000006
【図５】
2005279142.tif 000007